(57)【要約】【課題】  従来の光源装置は、放熱効率が悪く、取付の体裁が悪かった。また再利用も困難だった。【解決手段】  本件出願の照明型表示体用光源機器支持具は、細長なシャーシとそれに装着される一又は二以上のスライド体を備え、シャーシとスライド体のいずれか一方に嵌合溝、他方にその嵌合溝にスライド可能に嵌合できる嵌合突部を形成し、スライド体は固定具により所望のスライド位置に固定でき、スライド体に光源機器を取付け可能とした。シャーシ内にスライド体を嵌入させたり、シャーシの上面にスライド体を被せたりすることもできる。また、シャーシの上面側と底面側との間に内部空間を設け、その内部空間を、上面側又は底面側の一方に取付けた固定具が、他方に突出しない広さとした。シャーシとスライド体の一方又は双方をアルミニウム製とした。前記支持具のスライド体に光源機器を取付け、本件出願の照明型表示体用光源装置とした。【選択図】  図１
2006066340.tif 000002
【特許請求の範囲】
【請求項１】
細長なシャーシとそれに装着されるスライド体を備え、シャーシとスライド体のいずれか一方に嵌合溝が、他方にその嵌合溝にスライド可能に嵌合できる嵌合突部が形成され、スライド体は固定具により所望のスライド位置に固定でき、スライド体に照明具用ソケット、安定器等の光源機器を取付け可能としたことを特徴とする照明型表示体用光源機器支持具。
【請求項２】
請求項１記載の照明型表示体用光源機器支持具において、シャーシにはその上面に開口する露出口がシャーシの長手方向に沿って開口され、嵌合溝はシャーシにその長手方向に沿って形成されて長手方向端面がシャーシの端面に開口し、スライド体には前記嵌合溝にその端面開口部から差込み可能とした嵌合突部と、露出口からシャーシの上面に露出して光源機器を取付け可能とした光源機器取付け部が形成され、前記嵌合溝にスライド体の嵌合突部を嵌合することにより、スライド体を嵌合溝に沿ってスライド可能としたことを特徴とする照明型表示体用光源機器支持具。
【請求項３】
請求項１記載の照明型表示体用光源機器支持具において、シャーシには嵌合溝がシャーシの長手方向に沿って形成されて、嵌合溝の長手方向端面はシャーシの長手方向端面に開口し、嵌合溝の側面はシャーシの側面に開口し、スライド体の底面には下方開口の被せ口が開口され、被せ口の側方に嵌合突部が内側向きに形成されて、スライド体の嵌合突部をシャーシの嵌合溝にスライド可能に嵌合することにより、スライド体をシャーシの上面に被さり且つシャーシに沿ってスライド可能としたことを特徴とする照明型表示体用光源機器支持具。
【請求項４】
請求項１乃至請求項３のいずれかに記載の照明型表示体用光源機器支持具において、シャーシの上面側と底面側との間に内部空間を設け、その内部空間が、上面側又は底面側の一方に取付けた固定具が、他方に突出しない広さとされたことを特徴とする照明型表示体用光源機器支持具。
【請求項５】
請求項１乃至請求項４のいずれかに記載の照明型表示体用光源機器支持具において、シャーシと嵌合されるスライド体が一又は二以上であることを特徴とする照明型表示体用光源機器支持具。
【請求項６】
請求項１乃至請求項５のいずれかに記載の照明型表示体用光源機器支持具において、シャーシとスライド体の一方又は双方がアルミニウム製であることを特徴とする照明型表示体用光源機器支持具。
【請求項７】
請求項１乃至請求項６のいずれかに記載の照明型表示体用光源機器支持具のシャーシとスライド体が嵌合され、そのスライド体に照明具用ソケット、安定器等の光源機器が取付けられたことを特徴とする照明型表示体用光源装置。
【発明の詳細な説明】
【技術分野】
【０００１】
本発明は、照明型看板、照明型案内板、照明型標識等の照明型表示体の蛍光灯（照明具）用ソケット、安定器、グローランプ等の光源機器を取付け可能な照明型表示体用光源機器支持具と、それに蛍光灯、安定器、グローランプ等の光源機器を取付けた照明型表示体用光源支持装置に関する。
【背景技術】
【０００２】
従来の照明型表示体用光源装置は、図１１（ａ）（ｂ）に示すように、細長のシャーシＡに、ランプソケットＢ、ランプサポートＣ、グローランプＤ、安定器Ｅ、コンデンサＦ等の光源機器を、ボルトとナットや、ビス等の固定具Ｇによって固定してなる。前記シャーシＡは鉄製であって、その表面にメッキ、焼付塗装等が施されている。ランプソケットＢ等の各種部品のシャーシＡへの固定は、シャーシＡに複数個の固定孔（図示しない）を開口し、その固定孔にボルトやビス等の固定具Ｇを挿通させて、シャーシＡを挟着して行っている。この場合、シャーシＡの底面側Ｈに固定具Ｇの頭部や先端部が突出する。この照明型表示体用光源装置は、照明型袖看板や照明型看板等の照明型表示体のケース内に固定具Ｇで固定されている。
【発明の開示】
【発明が解決しようとする課題】
【０００３】
前記照明型表示体用光源装置には次のような課題がある。
（１）シャーシ表面の塗装が有害物質を発生し、自然環境に悪影響を及ぼすため、望ましくない。
（２）シャーシが鉄製であるため、時間が経つと錆びてしまい、シャーシの再利用が難しい。
（３）ランプソケット、グローランプ等の光源機器を、ナット、ビス等の固定具でシャーシに固定すると、固定具の頭部や先端部がシャーシの底面側に突出するので、シャーシを照明看板などのケース内に取り付ける場合、突出したナット、ビス等がケースに当り、シャーシが不安定になる。また、ナット、ビス等の突出分だけ嵩張る。
（４）シャーシの底面側に突出した固定具の頭部や先端部がケースに当たるため、シャーシとケースの接触面積が小さくなり、蛍光灯、安定器、インバータ等の光源機器から発生する熱が、シャーシを通して効率良くケースに逃げ難くなり、ケース内温度が上昇し、それら光源機器の品質劣化や故障の一因となる。
（５）シャーシに固定孔を開口して、その孔にナット、ビス等の固定具を差し込んだり、ねじ込んだりして蛍光灯、安定器、インバータ等の光源機器を取付けるため、シャーシへの光源機器の取り付け位置の変更が難しい。
【課題を解決するための手段】
【０００４】
本発明は、塗装を必要とせず、シャーシへの光源機器の取り付け位置の変更が自在で、取付け状態の体裁も良く、シャーシへの光源機器の取付けが安定し、シャーシの裏面にネジやビス等が突出せず、看板等へのシャーシの取付けも安定し、放熱効率もよく、使用済み後の再利用も可能な照明型表示体用光源機器支持具と、それに光源機器を取付けた照明型表示体用光源装置を提供するものである。
【０００５】
本件出願の照明型表示体用光源機器支持具は、細長なシャーシと、それに装着されるスライド体を備え、シャーシとスライド体のいずれか一方に嵌合溝が、他方にその嵌合溝にスライド可能に嵌合できる嵌合突部が形成され、スライド体はネジ、ビス等の固定具によりシャーシの所望位置に固定でき、スライド体は蛍光灯用ソケット、安定器等の光源機器を取付け可能とした。
【０００６】
本件出願の照明型表示体用光源機器支持具は、スライド体がシャーシの嵌合溝に嵌入してシャーシに沿ってスライドする嵌入型とすることができる。そのため、シャーシにその上面に開口する露出口と側面に開口する嵌合溝を形成し、露出口をシャーシの長手方向に沿って形成し、嵌合溝をシャーシの長手方向に沿って形成し、しかも、長手方向端面をシャーシの端面に開口しておき、前記スライド体に前記嵌合溝にその端面開口部から差込み可能な嵌合突部と、前記露出口からシャーシの上面に露出して光源機器を取付け可能とした光源機器取付け部を形成しておき、前記嵌合溝にスライド体の嵌合突部を嵌合することにより、スライド体が嵌合溝に沿ってスライド可能とすることができる。
【０００７】
本件出願の照明型表示体用光源機器支持具は、スライド体がシャーシに被さってシャーシに沿ってスライドする被せ型とすることもできる。そのため、シャーシにその長手方向に沿って嵌合溝を形成し、嵌合溝の長手方向端面をシャーシの長手方向端面に開口し、嵌合溝の側面をシャーシの側面に開口し、スライド体の底面には下方開口の被せ口を開口し、被せ口の両側方に嵌合突部を内側向きに形成して、スライド体の嵌合突部をシャーシの嵌合溝にスライド可能に嵌合すると、スライド体がシャーシの上面に被さり且つシャーシに沿ってスライド可能とすることもできる。
【０００８】
本件出願の照明型表示体用光源機器支持具は、シャーシの上面側と底面側との間に内部空間を設け、その内部空間を、上面側又は底面側の一方に取付けた固定具が他方に突出しない広さとすることもできる。また、シャーシと嵌合されるスライド体を一又は二以上としたり、シャーシとスライド体の一方又は双方をアルミニウム製としたりすることもできる。
【０００９】
本件出願の照明型表示体用光源装置は、前記照明型表示体用光源機器支持具のシャーシとスライド体を嵌合し、そのスライド体に照明具用ソケット、安定器等の光源機器を取付けたものである。
【発明の効果】
【００１０】
本件出願の照明型表示体用光源機器支持具は次のような効果がある。
（１）細長のシャーシにスライド体をスライド可能に装備したので、スライド体に光源機器を取り付け、スライド体をシャーシに沿ってスライドさせれば、シャーシへの光源機器の取り付け位置を自在に調節することができる。
（２）スライド体に光源機器を取り付けるので、取付けネジやビス等の固定具がシャーシの外部に突出せず、取付け状態の体裁が良く、看板等へのシャーシの取付けも安定する。また、シャーシの底面全面が看板等のケースに接触するため、放熱効率が良く、熱による光源機器の劣化、損傷等もしにくい。
（３）スライド体をネジ、ビス等でシャーシへ取り付けることができるので、シャーシへのスライド体の取り付けが安定し、スライド体に光源機器を取付ければシャーシへの光源機器の取付けも安定する。
（４）部品を取付ける際にシャーシ自体に固定孔を開ける必要がなく、シャーシが損傷しない。
（５）スライド体がシャーシの嵌合溝に嵌入してシャーシに沿ってスライドする嵌入型とすれば、スライド体がシャーシ内に収容されて外部に突出しないため、体裁が良い。また、照明型表示体用光源機器支持具の背丈が低くなり、薄型の照明型表示体の実現に寄与できる。
（６）スライド体がシャーシに被さってシャーシに沿ってスライドする被せ型とすれば、スライド体の光源機器取付け部がシャーシの上面に出るため、光源機器取付け部の面積を広くすることができ、光源機器の取付けが容易になり且つ安定する。
（７）シャーシの上面側と底面側との間に内部空間を形成して、シャーシの上面側にスライド体を固定した場合であってもボルトやナット等の固定具が底面側に突出しないようにしたため、シャーシを照明型表示体のケースに取付ける際にガタつきがなく安定する。また、シャーシの底面とケースとの接触面積が広くなり放熱効率が良くなる。
（８）前記内部空間を形成することで、シャーシが補強され、従来の金属製のシャーシよりも強度が向上する。
（９）シャーシにスライド体を二以上設けた場合は、個々のスライド体を所望位置に変更できるため、シャーシへの光源機器の取付け位置を選択し易くなる。また、スライド体の交換も容易になる。
（１０）シャーシとスライド体の一方又は双方がアルミニウム製であるため、鉄製のシャーシのようにメッキや焼付塗装をしなくとも錆び難いため、メッキや塗装の必要が無く、メッキや塗装時に出る排液で自然環境が汚染されることもない。また、錆び難いため、使用済み後のシャーシとスライド体の再利用も可能となる。
（１１）アルミニウム製であるため、シャーシとスライド体を押し出し、引き抜き等の加工で製作することができ、製作が容易であり、軽量になる。
（１２）シャーシとスライド体がアルミニウム製のため軽量になり、肉厚に製作することができ、そのようにすると形状が安定し、強度も向上し、扱い易くなる。
（１３）アルミニウム製であるため、鉄製の場合に比べて放熱性が良く、熱による光源機器の劣化、故障が減少する。
【００１１】
本件出願の照明型表示体用光源装置は次のような効果がある。
（１）本願発明の照明型表示体用光源機器支持具のスライド体に、照明具用ソケット、安定器等の各種光源機器を取り付けたので、スライド体の位置を変更すれば、光源機器の取付け位置を所望位置に容易に変更することができる。
（２）従来の照明型表示体用光源装置よりも軽量であるため照明型表示体のケースの負担が軽減される。このため、そのケースを軽量化することもできる。
【発明を実施するための最良の形態】
【００１２】
（実施形態１）
本発明の照明型表示体用光源機器支持具と、それを用いた照明型表示体用光源装置の実施形態の一例を、図１〜図８に基づいて詳細に説明する。本実施形態の照明型表示体用光源機器支持具１は、図１に示すように、上面側５に、長手方向に露出口６が開口された細長のシャーシ３と、そのシャーシ３に、前記露出口６に沿ってスライド及び固定自在なスライド体４を複数個備えるものであり、スライド体４がシャーシに嵌入されてスライドする嵌入型構造のものである。
【００１３】
前記シャーシ３は、図２、図３に示すように、細長に形成されている。シャーシ３は、アルミニウム製であることが放熱効率、耐久性等の点から望ましいが、他の金属製や硬質樹脂製等、任意の素材製とすることもできる。図２に示すように、シャーシ３の上面側５の中央部分には、露出口６が長手方向に開口されている。露出口６の幅方向両側には、前記スライド体４を係止し、スライド及び固定させることができる係止部７が長手方向に形成されている。シャーシ３の係止部７の内側部分には、スライド体４を嵌入する嵌合溝１０が形成されている。嵌合溝１０は、シャーシ３の長手方向に沿って形成され、長手方向端面がシャーシ３の端面に開口されている。シャーシ３の底面側８は、図２に示すように、平らに成形されている。また、シャーシ３の両側の内側壁には、図３に示すように、スライドするスライド体４を支持する支持部９が形成されている。支持部９は、図に示す形状には限られず、例えば、シャーシ３の両側の内側壁間に板状に形成したり、任意の形状とすることができる。また、支持部９は無くてもよい。
【００１４】
前記スライド体４は、図２、図４（ａ）（ｂ）に示すように、板材を小片状に形成してなるものである。スライド体４も、アルミニウム製であることが放熱効率、耐久性等の点から望ましいが、他の金属製や硬質樹脂製等、任意の素材製とすることもできる。図４（ａ）（ｂ）に示すスライド体４の幅Ｗは、前記シャーシ３の内部空間１９の幅より少し小さく形成され、スライド体４をシャーシ３の内部空間１９内に嵌入することができるようにしてある。スライド体４の長さＬは、シャーシ３の長さより短かければ、任意の長さとすることができる。スライド体４の上面側５の幅方向両端部分には、前記シャーシ３の嵌合溝１０内に嵌入できるように、嵌合突部１１が形成されている。また、図２に示すように、スライド体４の中心部分には、ボルト、ビス等の固定具を嵌入可能な固定孔１２が、上面側１３から底面側１４に貫通させて開口されている。
【００１５】
スライド体４の嵌合突部１１をシャーシ３の嵌合溝１０に嵌合させて、スライド体を
嵌合溝１０の端面開口部からシャーシ３に差込むと、スライド体４の上面側１３が係止部７に係止され、底面側１４が支持部９に支持されて、スライド体４は、シャーシ３内をスライド自在となる。この時、スライド体４の上面側１３は、シャーシ３の露出口６から外面に露出する。露出した上面側１３は、光源機器取付け部として用いられる。また、スライド体４は、シャーシ３一本につき、所望の数だけ備えることができる。
【００１６】
本実施形態の照明型表示体用光源装置２は、図１に示すように、前記照明型表示体用光源機器支持具１のスライド体４を複数個備え、夫々のスライド体４に照明具用ソケット１５、グローランプ１６、安定器１７、コンデンサ１８等の各種光源機器を取付けてなるものである。本実施形態の照明型表示体用光源装置２においては、同図に示すように、シャーシ３の長手方向両端部に一つずつ照明具用ソケット１５が備えられ、その両照明具用ソケット１５間に、グローランプ１６、安定器１７、コンデンサ１８が備えられている。
【００１７】
前記照明具用ソケット１５、グローランプ１６、安定器１７、コンデンサ１８等の各種光源機器の前記スライド体４への取付けは、図５に示すように、ビス２０によって行っている。同図に示すように、前記光源機器の下端部には取付板２１が備えられ、その取付板２１にはボルト、ビス等の固定具を嵌入可能な固定孔２２が開口されている。スライド体４を所望のスライド位置に配置して、取付板２１に開口した固定孔２２とスライド体４の固定孔１２とを揃えて取付板２１とスライド体４とを重ね、その固定孔１２、２２にビス２０を嵌入し、取付板２１とスライド体４とを固定する。この時、図５に示すように、ビス止めによって取付板２１とスライド体４とが固定され、ビス止めされるスライド体４と取付板２１との間に、前記シャーシ３の係止部７が挟着され、スライド体４の位置も固定される。このとき、図５に示すように、スライド体４の上面側１３がシャーシ３の上面側５より少し上方に突出するようにしてある。ビス２０は、完全にねじ込んでもシャーシ３の底面側８から突出しない長さのものであれば、図に示す長さのもの以外にも、底面側８まで到達する長さのものとすること等もできる。各種光源機器をスライド体４に取付ける固定具は、ビスには限られず、固定時にシャーシ３の底面側８から突出しない長さのものであれば、ボルト及びナット、螺子等、任意の固定具を用いて固定することができる。また、各種部品の前記スライド体４への取付けは、取付板２１を介さずに、各種光源機器を直接スライド体４に固定して行ってもよい。
【００１８】
前記照明具用ソケット１５は、図６（ａ）（ｂ）に示すように、基板２５にアーム２６をビス２７によって取付け、ビス２７を回転軸として図６（ａ）の矢印Ｘ−Ｙ方向に回転可能としたものである。基板２５は、図に示すように、前記取付板２１と一体成形されており、取付板２１に対して鉛直に立ち上げられている。アーム２６には、蛍光灯等の光源を着脱可能なソケット２８が備えられている。基板２５とアーム２６は、アーム２６を所定の回転位置に停止させるための停止機構３０を備えている。停止機構３０は図６（ａ）（ｂ）に示すように、アーム２６に基板２５側に突出する突子３１を設け、基板２５に孔３２を複数個開口して、その孔３２内に突子３１を嵌合可能とし、アーム２６を図６（ａ）の矢印Ｘ−Ｙ方向に回転させると突子３１と他の孔３２とが嵌合し、所望の嵌合位置でアーム２６の回転を停止させると、アーム２６がその位置に固定されるようにしてある。この場合、突子３１と孔３２との嵌合を保持するために、アーム２６と基板２５とを連結するビス２７に螺合されているナット３３とアーム２６との間に、図６（ｂ）のようにスプリング３４を介在させて、アーム２６を常時、基板２５に押しつけて、突子３１と孔３２との嵌合を密にし、アーム２６が不用意に回転しないようにしてある。この場合でも、アーム２６をスプリング３４側に押しながら強制的に回転させると突子３１が孔３２から外れてアーム２６が回転し、突子３１は次の孔３２に嵌って停止する。スプリング３４側へのアーム２６の押しを解放するとアーム２６がスプリング３４により基板２５側に押されて、突子３１と孔３２とが密に嵌合する。以後、同様にしてアーム２６を強制的に回転させる度に、突子３１と孔３２の離脱、嵌合が繰り返されて、アーム２６が所望位置に停止する。前記のようにアーム２６を回転させて、突子３１が嵌合する孔３２を変えることによりアーム２６の角度を調節することができる。前記停止機構３０の構造は、前記図６（ａ）（ｂ）に示すものには限られず、アームの角度調節が可能であれば、任意の構造とすることができる。従って、例えば、図６（ａ）（ｂ）の孔３２に代えて複数個窪みを形成したり、基板２５側に半円弧状の長孔や窪みを一つ開口し、突子３１を任意位置で停止させること等もできる。
【００１９】
前記グローランプ１６は、図１、図７に示すように、取付板２１上に設置されたグローランプ用ソケット３６をスライド体４上に固定し、そのグローランプ用ソケット３６に、点灯管３７を取付けてなる。また、前記安定器１７も、図１、図８に示すように、スライド体４上に固定されている。安定器１７の取付けには、取付板２１は用いらておらず、スライド体４に直接安定器１７が取付けられている。また、コンデンサ１８も、図１に示すように、スライド体４上に固定されている。グローランプ１６、安定器１７、コンデンサ１８等の各種光源機器には、現存する又は新たに改良、開発されたいずれのものを用いることもできる。
【００２０】
本実施形態の照明型表示体用光源装置２は、シャーシ３の底面側８全面を照明型看板等のケースに配置し、シャーシ３側又はケース側からビス、螺子等の固定具で底面側８をケースに固定して使用する。この時、照明型表示体用光源装置２の固定に用いる固定具は、ケース側から固定した際にシャーシ３の上面側５から突出しない長さのものであれば、ボルト及びナット等、任意の固定具を用いることができる。
【００２１】
（実施形態２）
本発明の照明型表示体用光源機器支持具及び照明型表示体用光源装置実施形態の他の例を、図９に基づいて詳細に説明する。本発明の照明型表示体用光源装置は、図９に示すように、前記実施形態１の取付板２１に代えて、搭載板４０を備えることもできる。搭載板４０は、同図に示すように、板状部材であって、シャーシ３の側方に安定器１７等の各種部品を備えられるように曲げて成形されている。図９に示す光源装置によると、搭載板４０を備えることによって、シャーシ３の側方にランプソケット、安定器等の各種光源機器を備えることができるため、薄型の照明型表示体のケース内に設置する場合等に有効である。
【００２２】
（実施形態３）
本発明の照明型表示体用光源機器支持具及び照明型表示体用光源装置実施形態のその他の例を、図１０（ａ）（ｂ）に基づいて詳細に説明する。本発明の照明型表示体用光源機器支持具は、図１０（ａ）（ｂ）に示すように、シャーシ３をＨ型部材とし、そのシャーシ３に略Ｃ字型のスライド体４を被せ、スライドさせることができる被せ型構造としてある。前記シャーシ３は、図に示すように、細長のＨ型部材であって、両側面の長手方向に嵌合溝１０を開口している。前記スライド体４は、図に示すように、板材を略Ｃ字型の小片に成形したものである。スライド体４の底面側１４の中央部分には、長手方向に被せ口２３が開口され、被せ口２３の両側には嵌合突部１１が形成されている。前記シャーシ３の幅Ｗは、図１０（ａ）に示すように、スライド体４の内部空間２４の幅より少し小さく形成され、シャーシ３をスライド体４の内部空間２４内に入れることができるようにしてある。
【００２３】
スライド体４の嵌合突部１１をシャーシ３の嵌合溝１０に嵌合させて、スライド体４をシャーシ３に被せると、スライド体４が上面側５上に支持され、スライド体４はシャーシ３の上面側５上をスライド自在となる。このとき、シャーシ３に被せられたスライド体４の上面側１３は、光源機器取付け部として用いることができる。本実施形態でも、スライド体４はシャーシ３一本につき、所望の数だけ備えることができる。
【００２４】
照明具用ソケット１５、グローランプ１６、安定器１７、コンデンサ１８等の各種光源機器の前記スライド体４への取付けは、図１０（ａ）（ｂ）に示すように、ビス２０によって行っている。同図に示すように、前記各種光源機器の下端部には取付板２１が備えられている。シャーシ３の上面側５と、スライド体４の上面側１３と、取付板２１とには、ボルト、ビス等の固定具を嵌入可能な固定孔を開口し、又は予め開口させておき、取付板２１とスライド体４とシャーシ３とを重ね、その固定孔にビス２０を嵌入し、取付板２１とスライド体４とシャーシ３とを固定する。この時、図１０（ｂ）に示すように、ビス止めによって取付板２１とスライド体４とシャーシ３とが固定され、ビス止めされるシャーシ３と取付板２１との間に、前記スライド体４の上面側１３が挟着され、スライド体４の位置も固定される。ビス２０は、完全にねじ込んでもシャーシ３の底面側８から突出しない長さのものであれば、図に示す長さのもの以外にも、底面側８まで到達する長さのものとすること等もできる。各種光源機器をスライド体４に取付ける固定具は、ビスには限られず、固定時にシャーシ３の底面側８から突出しない長さのものであれば、ボルト及びナット、螺子等、任意の固定具を用いて固定することができる。また、各種部品の前記スライド体４への取付けは、取付板２１を介さずに、各種光源機器を直接スライド体４に固定して行ってもよい。
【００２５】
本実施形態の照明型表示体用光源装置２は、シャーシ３の底面側８全面を照明型看板等のケースに配置し、シャーシ３側又はケース側からビス、螺子等の固定具で底面側８をケースに固定して使用する。シャーシ３側から固定する場合には、シャーシ３の上面側５を一部切り欠いた上で、底面側８に向けて固定具を取付けることもできる。また、ケース側から固定する場合は、用いる固定具は、ケース側から固定した際にシャーシ３の上面側５から突出しない長さのものであれば、ボルト及びナット等、任意の固定具を用いることができる。
【００２６】
（その他の実施形態）
本発明の照明型表示体用光源装置には、前記各実施形態で備えられたランプソケット、安定器、コンデンサの各部品の他にも、切替スイッチ、ランプサポートなど、他の任意の光源機器を備えることもできる。
【００２７】
また、本発明の照明型表示体用光源装置光源機器支持具のシャーシの形状は、前記各実施形態で示す直状のものには限られず、環状等、支持する光源の形状に適合した形状とすることができる。
【産業上の利用可能性】
【００２８】
本発明の照明型表示体用光源機器支持具とそれを用いた照明型表示体用光源装置は、蛍光灯に限らず、ネオン灯、スリム管などを支持することもできる。また、照明型表示体用には限られず、室内用の照明装置用等としても応用することができる。
【図面の簡単な説明】
【００２９】
【図１】本発明の照明型表示体用光源機器支持具及び照明型表示体用光源装置の実施形態の一例を示す斜視図。
【図２】図１に示す照明型表示体用光源機器支持具のシャーシとスライド体とを組合わせる様子を示す分解斜視図。
【図３】図１に示す照明型表示体用光源機器支持具のシャーシを示す正面図。
【図４】（ａ）は、図１に示す照明型表示体用光源機器支持具のスライド体を示す平面図。（ｂ）は、（ａ）に示すスライド体を示す正面図。
【図５】図１に示す照明型表示体用光源機器支持具のシャーシとスライド体とを組合わせた様子を示す断面説明図。
【図６】（ａ）は、図１に示す照明型表示体用光源装置のランプソケットを示す斜視図。（ｂ）は、（ａ）に示すランプソケットを示す側面図。
【図７】図１に示す照明型表示体用光源装置のグローソケットを示す斜視図。
【図８】図１に示す照明型表示体用光源装置の安定器を示す斜視図。
【図９】本発明の照明型表示体用光源装置の実施形態の他の例を示す斜視図。
【図１０】（ａ）は、本発明の照明型表示体用光源機器支持具の実施形態の他の例を示す斜視図。（ｂ）は、（ａ）に示す照明型表示体用光源機器支持具のシャーシとスライド体とを組合わせた様子を示す断面説明図。
【図１１】（ａ）は、従来の照明型表示体用光源装置を示す斜視図。（ｂ）は、（ａ）に示す照明型表示体用光源装置を示す側面説明図。
【符号の説明】
【００３０】
１  照明型表示体用光源機器支持具
２  照明型表示体用光源装置
３  シャーシ
４  スライド体
５  上面側
６  スライド溝
７  係止部
８  底面側
９  支持部
１０  嵌合溝
１１  嵌合突部
１２  固定孔
１５  照明具用ソケット
１６  グロ−ランプ
１７  安定器
１８  コンデンサ
１９  内部空間
２１  取付板
【図１】
2006066340.tif 000003
【図２】
2006066340.tif 000004
【図３】
2006066340.tif 000005
【図４】
2006066340.tif 000006
【図５】
2006066340.tif 000007
【図６】
2006066340.tif 000008
【図７】
2006066340.tif 000009
【図８】
2006066340.tif 000010
【図９】
2006066340.tif 000011
【図１０】
2006066340.tif 000012
【図１１】
2006066340.tif 000013